【手続補正書】
【提出日】平成20年2月13日(2008.2.13)
【手続補正１】
【補正対象書類名】特許請求の範囲
【補正対象項目名】全文
【補正方法】変更
【補正の内容】
【特許請求の範囲】
【請求項１】
レンズユニットと、該レンズユニットに着脱自在で撮影時にグリップの全部又は一部を形成するグリップユニットと、を備えた撮像装置であって、
前記レンズユニットに設けられ、該レンズユニットの光軸に対して略直交する方向に前記グリップユニットを案内するガイド部と、
前記グリップユニットに設けられ、前記ガイド部に係合する被ガイド部と、
を備えたことを特徴とする撮像装置。
【請求項２】
前記グリップユニットは該レンズユニットに側方から着脱自在である請求項１の撮像装置。
【請求項３】
前記グリップユニットに設けられ、該グリップユニットに前記レンズユニットを装着した際、前記光軸に対して略直交する方向における前記レンズユニットと前記グリップユニットとの相対的な移動を規制するロック部を備えたことを特徴とする請求項１又は２に記載の撮像装置。
【請求項４】
前記レンズユニットは撮像素子を備えることを特徴とする請求項１−３のいずれか１項に記載の撮像装置。
【請求項５】
前記ロック部は、前記グリップユニットに回動自在に設けられることを特徴とする請求項３又は４に記載の撮像装置。
【請求項６】
前記グリップユニットは、回動自在に連結されたフロント側部材とリア側部材とから成り、前記フロント側部材に前記被ガイド部が設けられ、前記リア側部材に前記ロック部が設けられるととともに、前記リア側部材は前記ロック部がロックを行う方向に付勢されることを特徴とする請求項２−５のいずれか１項に記載の撮像装置。
【請求項７】
前記本体のリア側部材には、前記レンズユニットを介して得られた画像を表示する表示画面が設けられることを特徴とする請求項６に記載の撮像装置。
【請求項８】
前記レンズユニット及び前記グリップユニットには、装着時に接続される電気接点が設けられることを特徴とする請求項１−７のいずれか１項に記載の撮像装置。
【請求項９】
前記ロック部は、前記被ガイド部の近傍で移動を規制することを特徴とする請求項３−８のいずれか１項に記載の撮像装置。
【請求項１０】
前記ロック部は、第１ロック部と第２ロック部とから成り、前記第１ロック部によって前記グリップユニットに前記レンズユニットが保持され、前記第２ロック部によって前記レンズユニットと前記グリップユニットとの前記光軸の略直交方向への相対的な移動が規制されることを特徴とする請求項３−９のいずれか１項に記載の撮像装置。
【手続補正２】
【補正対象書類名】明細書
【補正対象項目名】０００８
【補正方法】変更
【補正の内容】
【０００８】
請求項１に記載の発明は前記目的を達成するために、レンズユニットと、該レンズユニットに着脱自在で撮影時にグリップの全部又は一部を形成するグリップユニットと、を備えた撮像装置であって、前記レンズユニットに設けられ、該レンズユニットの光軸に対して略直交する方向に前記グリップユニットを案内するガイド部と、前記グリップユニットに設けられ、前記ガイド部に係合する被ガイド部と、を備えたことを特徴とする。
【手続補正３】
【補正対象書類名】明細書
【補正対象項目名】０００９
【補正方法】変更
【補正の内容】
【０００９】
請求項１に記載の発明によれば、グリップユニットを片手で持って操作するだけで、グリップユニットをレンズユニットに着脱することができる。すなわち、グリップユニットを片手で把持し、そのグリップユニットの被ガイド部をレンズユニットのガイド部に係合させて案内させることによって、グリップユニットをレンズユニットに装着することができる。また、グリップユニットを片手で把持し、その被ガイド部とレンズユニットのガイド部との係合を解除することによって、グリップユニットをレンズユニットから取り外すことができる。
【手続補正４】
【補正対象書類名】明細書
【補正対象項目名】００１０
【補正方法】変更
【補正の内容】
【００１０】
請求項３に記載の発明は請求項１の発明において、前記グリップユニットに設けられ、該グリップユニットに前記レンズユニットを装着した際、前記光軸の略直交方向の前記レンズユニットと前記グリップユニットとの相対的な移動を規制するロック部を備えたことを特徴とする。
【手続補正５】
【補正対象書類名】明細書
【補正対象項目名】００１１
【補正方法】変更
【補正の内容】
【００１１】
請求項３に記載の発明によれば、ロック部を設けたので、レンズユニットとグリップユニットとが光軸の略直交方向に相対的に移動することを規制することができる。光軸の略直交方向以外の移動は、被ガイド部材とガイド部材とによって規制されているので、ロック部でロックすることによって、レンズユニットとグリップユニットとを確実に固定することができる。
【手続補正６】
【補正対象書類名】明細書
【補正対象項目名】００１２
【補正方法】変更
【補正の内容】
【００１２】
また、請求項３に記載の発明によれば、ロック部をグリップユニットに設けたので、グリップユニットを把持した手でロック部の操作を行うことができる。
【手続補正７】
【補正対象書類名】明細書
【補正対象項目名】００１３
【補正方法】変更
【補正の内容】
【００１３】
請求項４に記載の発明は請求項３の発明において、前記レンズユニットは撮像素子を備えることを特徴とする。レンズと撮像素子を備えたレンズユニットは、グリップユニットに対する高い位置決め精度が不要であり、着脱の機構を簡易化することができる。
【手続補正８】
【補正対象書類名】明細書
【補正対象項目名】００１４
【補正方法】変更
【補正の内容】
【００１４】
請求項５に記載の発明は請求項３又は４の発明において、前記ロック部は、前記グリップユニットに回動自在に設けられることを特徴とする。したがって、請求項５の発明によれば、より簡単な構成によってロック操作を行うことができる。
【手続補正９】
【補正対象書類名】明細書
【補正対象項目名】００１５
【補正方法】変更
【補正の内容】
【００１５】
請求項６に記載の発明は請求項３、４又は５の発明において、前記グリップユニットは、回動自在に連結されたフロント側部材とリア側部材とから成り、前記フロント側部材に前記被ガイド部が設けられ、前記リア側部材に前記ロック部が設けられるととともに、前記リア側部材は前記ロック部によってロックが行われる回動方向に付勢されることを特徴とする。
【手続補正１０】
【補正対象書類名】明細書
【補正対象項目名】００１６
【補正方法】変更
【補正の内容】
【００１６】
請求項６に記載の発明によれば、フロント側部材の被ガイド部をレンズユニットのガイド部材に係合させた後、リア側部材を回動させることによってグリップユニットがレンズユニットに装着される。また請求項６に記載の発明によれば、リア側部材がロック方向に付勢されているので、ロック操作をより簡単に行うことができる。
【手続補正１１】
【補正対象書類名】明細書
【補正対象項目名】００１７
【補正方法】変更
【補正の内容】
【００１７】
請求項７に記載の発明は請求項６の発明において、前記グリップユニットのリア側部材には、前記レンズユニットを介して得られた画像を表示する表示画面が設けられることを特徴とする。
【手続補正１２】
【補正対象書類名】明細書
【補正対象項目名】００１８
【補正方法】変更
【補正の内容】
【００１８】
請求項７に記載の発明によれば、表示画面をグリップユニットのリア側部材に設けたので、表示画面をフロント側部材に設けた場合よりも、装置構成を簡略化でき、装置を小型化することができる。また、請求項７に記載の発明によれば、リア側部材を回動することによって表示画面の姿勢を調整することができる。
【手続補正１３】
【補正対象書類名】明細書
【補正対象項目名】００１９
【補正方法】変更
【補正の内容】
【００１９】
請求項８に記載の発明は請求項１、３、４、５、６又は７の発明において、前記レンズユニット及び前記グリップユニットには、装着時に接続される電気接点が設けられることを特徴とする。請求項８に記載の発明によれば、レンズユニットとグリップユニットを装着した際に同時に、電気接点が接続される。
【手続補正１４】
【補正対象書類名】明細書
【補正対象項目名】００２０
【補正方法】変更
【補正の内容】
【００２０】
請求項９に記載の発明は請求項３、４、５、６、７又は８の発明において、前記ロック部は、前記被ガイド部の近傍で移動を規制することを特徴とする。請求項９に記載の発明によれば、被ガイド部の近傍で規制を行うので、信頼性の高いメカ構成となる。
【手続補正１５】
【補正対象書類名】明細書
【補正対象項目名】００２１
【補正方法】変更
【補正の内容】
【００２１】
請求項１０に記載の発明は請求項３、４、５、６、７、８又は９の発明において、前記ロック部は、第１ロック部と第２ロック部とから成り、前記第１ロック部によって前記グリップユニットに前記レンズユニットが保持され、前記第２ロック部によって前記レンズユニットと前記グリップユニットとの前記光軸の略直交方向への相対的な移動が規制されることを特徴とする。
【手続補正１６】
【補正対象書類名】明細書
【補正対象項目名】００２２
【補正方法】変更
【補正の内容】
【００２２】
請求項１０に記載の発明によれば、第１ロック部によってレンズユニットがグリップユニットに保持されるので、第２ロック部によるロック操作を簡単に行うことができる。また、二つのロック部によってロックを行うので、レンズユニットとグリップユニットとをより確実に固定することができる。
【手続補正１７】
【補正対象書類名】明細書
【補正対象項目名】００２６
【補正方法】変更
【補正の内容】
【００２６】
これらの図に示すように、デジタルカメラ１０は、レンズユニット１１と、カメラボディ（グリップユニットに相当）１２とで構成されており、カメラボディ１２は、レンズユニット１１の後端部に着脱自在に取り付けられる。
【手続補正１８】
【補正対象書類名】明細書
【補正対象項目名】００４１
【補正方法】変更
【補正の内容】
【００４１】
また、３軸加速度センサ４２は、撮影ボタン１６の押圧操作（レリーズ）時にカメラボディ１２に発生している３軸（直交するＸ、Ｙ、Ｚ軸）方向の振動を検出し、各軸毎に検出された振動を示す電圧信号をＣＰＵ３０に出力する。ＣＰＵ３０は、前記各軸毎に出力される電圧信号の変位量（振れの速度に相当）を算出し、この変位量と予め記憶されている許容振動を示す変位量とを比較し、算出された変位量が許容振動を示す変位量を超えたとき、液晶モニタにその旨を表示し警告し、その後、モード移行を内容を表示してユーザーに再撮影を促す。
【手続補正１９】
【補正対象書類名】明細書
【補正対象項目名】００８０
【補正方法】変更
【補正の内容】
【００８０】
図１０に示すように、各レバー１０８、１０８は略Ｌ状に形成されている。各レバー１０８、１０８は、その屈曲部において、軸１１４、１１４を中心としてケース１０４に揺動自在に支持されている。なお、レバー１０８、１０８は、被ガイド部１０８Ａとロック部１０８Ｂとがケース１０４の凹部１０６に突出した状態で取り付けられており、レバー１０８、１０８が揺動することによって、その突出量が変化するようになっている。
【手続補正２０】
【補正対象書類名】明細書
【補正対象項目名】００８１
【補正方法】変更
【補正の内容】
【００８１】
各レバー１０８、１０８のもう一方の端部には長孔１０８Ｄ、１０８Ｄが形成される。長孔１０８Ｄ、１０８Ｄは、被ガイド部１０８Ａ、１０８Ａと直交する方向に形成されており、この長孔１０８Ｄ、１０８Ｄにロック解除ピン１１０が挿通されている。ロック解除ピン１１０は、図９に示すロック解除ボタン１１２に連結されており、このロック解除ボタン１１２は、図９の矢印方向に揺動自在に設けられている。したがって、ロック解除ボタン１１２を図９の左方向に動かすと、ロック解除ピン１１０に係合したレバー１０８、１０８が揺動し、レバー１０８、１０８の先端のロック部１０８Ｂ、１０８Ｂが外側（すなわち、間隔が広がる方向）に退避移動する。これにより、レンズユニット１１のＣＣＤ収納部１３とロック部１０８Ｂ、１０８Ｂとの係合を解除することができ、ロック状態を解除することができる。
【手続補正２１】
【補正対象書類名】明細書
【補正対象項目名】００８４
【補正方法】変更
【補正の内容】
【００８４】
上記の如く構成された第２の実施形態のデジタルカメラ１００において、カメラボディ１０２とレンズユニット１１との装着作業は、まず、カメラボディ１０２を把持し、その凹部１０６にレンズユニット１１のＣＣＤ収納部１３を差し込むようにする。その際、レンズユニット１１は、図６に示した場合と同様に、平坦な面に置いて操作するとよい。
【手続補正２２】
【補正対象書類名】明細書
【補正対象項目名】００８５
【補正方法】変更
【補正の内容】
【００８５】
カメラボディ１０２の凹部１０６にレンズユニット１１のＣＣＤ収納部１３を差し込むと、ＣＣＤ収納部１３がロック部１０８Ｂ、１０８Ｂのテーパ１０８Ｃ、１０８Ｃに摺動して、レバー１０８、１０８同士の間隔が押し広げられる。ＣＣＤ収納部１３をさらに凹部１０６に差し込むと、レンズユニット１１のガイド部１７、１７にレバー１０８、１０８の被ガイド部１０８Ａ、１０８Ａが係合し、ＣＣＤ収納部１３が凹部１０６の内部に確実に案内される。
【手続補正２３】
【補正対象書類名】明細書
【補正対象項目名】００８７
【補正方法】変更
【補正の内容】
【００８７】
装着したレンズユニット１１とカメラボディ１０２とを取り外す場合には、まず、カメラボディ１０２のグリップ部１４を把持し、その把持した手でロック解除ボタン１１２を図８の左方向に移動させる。これにより、一対のレバー１０８、１０８がスプリング１２０の付勢力に抗して揺動し、ロック部１０８Ｂ、１０８Ｂ同士の間隔が広がる。よって、ロック部１０８Ｂ、１０８ＢとＣＣＤ収納部１３との係合が解除される。この状態で、ＣＣＤ収納部１３を凹部１０６から引き抜く方向にカメラボディ１０２を移動させることによって、カメラボディ１０２をレンズユニット１１から取り外すことができる。したがって、第２の実施形態によれば、カメラボディ１２を片手で把持し、その把持した手でロック解除ボタン１１２を操作することによって、取り外し作業を行うことができる。
【手続補正２４】
【補正対象書類名】明細書
【補正対象項目名】００９２
【補正方法】変更
【補正の内容】
【００９２】
カメラボディ１３２のリア部２１は、第１の実施形態と同様に構成されており、その先端にはロック部（第２のロック部に相当）３１が設けられている。よって、リア部２１を回動させてフロント部１３４に対して閉じることによって、ロックを行うことができる。